【手続補正書】
【提出日】平成24年6月19日(2012.6.19)
【手続補正１】
【補正対象書類名】明細書
【補正対象項目名】発明の名称
【補正方法】変更
【補正の内容】
【発明の名称】撮像装置、音声処理装置、音声処理方法
【手続補正２】
【補正対象書類名】明細書
【補正対象項目名】０００６
【補正方法】変更
【補正の内容】
【０００６】
本発明の撮像装置は、かかる目的を達成するために、撮像手段と、前記撮像手段に被写体の光学像を導く光学手段と、前記光学手段の駆動を制御する駆動制御手段と、前記撮像手段により得られた画像信号に処理して動画データを生成する動画処理手段と、集音手段と、前記集音手段により得られた音声信号を処理して音声データを生成する音声処理手段と、前記動画データと前記音声データとを記録媒体に記録する記録手段と、前記駆動制御手段と、前記音声処理手段とを制御する制御手段とを有し、前記制御手段は、前記動画データと前記音声データとの記録を開始した後に、前記光学手段を駆動させるように前記駆動制御手段を制御する場合、前記集音手段により得られた音声信号のうち、前記光学手段の駆動前に得られた音声信号に基づいて生成された予測信号と前記光学手段の駆動中に得られた音声信号とを所定の比率でした音声データを生成するように前記音声処理手段を制御することを特徴とする。
【手続補正３】
【補正対象書類名】特許請求の範囲
【補正対象項目名】全文
【補正方法】変更
【補正の内容】
【特許請求の範囲】
【請求項１】
撮像手段と、
前記撮像手段に被写体の光学像を導く光学手段と、
前記光学手段の駆動を制御する駆動制御手段と、
前記撮像手段により得られた画像信号に処理して動画データを生成する動画処理手段と、
集音手段と、
前記集音手段により得られた音声信号を処理して音声データを生成する音声処理手段と、
前記動画データと前記音声データとを記録媒体に記録する記録手段と、
前記駆動制御手段と、前記音声処理手段とを制御する制御手段とを有し、
前記制御手段は、前記動画データと前記音声データとの記録を開始した後に、前記光学手段を駆動させるように前記駆動制御手段を制御する場合、前記集音手段により得られた音声信号のうち、前記光学手段の駆動前に得られた音声信号に基づいて生成された予測信号と前記光学手段の駆動中に得られた音声信号とを所定の比率で合成した音声データを生成するように前記音声処理手段を制御することを特徴とする撮像装置。
【請求項２】
前記音声処理手段は、前記予測信号と前記光学手段の駆動中に得られた音声信号とを合成する場合、前記光学手段の駆動中に得られた音声信号の合成比率を、前記光学手段の駆動開始時近傍における合成比率が、前記光学手段の駆動終了時近傍における合成比率よりも低くなるように合成することを特徴とする請求項１記載の撮像装置。
【請求項３】
前記音声処理手段は、前記予測信号を、線形予測法を用いて生成することを特徴とする請求項１または２記載の撮像装置。
【請求項４】
前記音声処理手段は、前記予測信号を、前記光学手段の駆動前に得られた音声信号の周期を検出し、前記検出された周期の音声を複数回つなぎ合わせて生成することを特徴とする請求項１または２記載の撮像装置。
【請求項５】
前記音声処理手段は、前記予測信号と前記光学手段の駆動中に得られた音声信号とを合成する場合、合成後の信号の最大振幅が前記光学手段の駆動前に得られた音声信号の最大振幅よりも大きくならないように合成することを特徴とする請求項１から４のいずれか１項記載の撮像装置。
【請求項６】
前記光学手段は、複数の駆動部を有し、
前記制御手段は、前記駆動部の種類に応じて、前記予測信号と前記光学手段の駆動中に得られた音声信号の合成比率を変更するように前記音声処理手段を制御することを特徴とする請求項１から５のいずれか１項記載の撮像装置。
【請求項７】
前記複数の駆動部の一つは、絞り駆動部であり、別の駆動部はレンズ駆動部であり、
前記制御手段は、前記予測信号と前記光学手段の駆動中に得られた音声信号の合成比率の変化率を、前記絞り駆動部が駆動しているときの方が前記レンズ駆動部を駆動しているときよりも大きくなるように合成するように前記音声処理手段を制御することを特徴とする請求項６記載の撮像装置。
【請求項８】
前記音声処理手段は、前記予測信号を、線形予測法を用いた第１の生成手法か、または、前記光学手段の駆動前に得られた音声信号の周期を検出し、前記検出された周期の音声を複数回つなぎ合わせる第２の生成手法のいずれかを用いることを特徴とする請求項１または２記載の撮像装置。
【請求項９】
前記制御手段は、前記撮像装置のリソースが低下しているときは、前記第２の生成方法を用いて前記予測信号を生成するように前記音声処理手段を制御することを特徴とする請求項８記載の撮像装置。
【請求項１０】
前記音声処理手段は、前記第１の生成方法を用いる場合と、前記第２の生成方法を用いる場合とで、前記予測信号と前記光学手段の駆動中に得られた音声信号の合成比率を異ならせることを特徴とする請求項８または９記載の撮像装置。
【請求項１１】
前記音声処理手段は、前記第１の生成方法を用い得る場合と、前記第２の生成方法を用いる場合とで、前記予測信号の生成に用いる、前記光学手段の駆動前に得られた音声信号の長さを異ならせることを特徴とする請求項８から１０のいずれか１項記載の撮像装置。
【請求項１２】
集音手段と、
前記集音手段により得られた音声信号を処理して音声データを生成する音声処理手段と、
所定の駆動手段の駆動を制御する駆動制御手段と、
前記駆動制御手段と、前記音声処理手段とを制御する制御手段とを有し、
前記制御手段は、前記駆動手段を駆動させるように前記駆動制御手段を制御する場合、前記集音手段により得られた音声信号のうち、前記駆動手段の駆動前に得られた音声信号に基づいて生成された予測信号と前記光学手段の駆動中に得られた音声信号とを所定の比率で合成した音声データを生成するように前記音声処理手段を制御することを特徴とする音声処理装置。
【請求項１３】
前記音声処理手段は、前記予測信号と前記駆動手段の駆動中に得られた音声信号とを合成する場合、前記駆動手段の駆動中に得られた音声信号の合成比率を、前記駆動手段の駆動開始時近傍における合成比率が、前記駆動手段の駆動終了時近傍における合成比率よりも低くなるように合成することを特徴とする請求項１２記載の撮像装置。
【請求項１４】
前記音声処理手段は、前記予測信号を、線形予測法を用いて生成することを特徴とする請求項１２または１３記載の撮像装置。
【請求項１５】
前記音声処理手段は、前記予測信号を、前記駆動手段の駆動前に得られた音声信号の周期を検出し、前記検出された周期の音声を複数回つなぎ合わせて生成することを特徴とする請求項１２または１３記載の撮像装置。
【請求項１６】
前記音声処理手段は、前記予測信号と前記駆動手段の駆動中に得られた音声信号とを合成する場合、合成後の信号の最大振幅が前記光学手段の駆動前に得られた音声信号の最大振幅よりも大きくならないように合成することを特徴とする請求項１２から１５のいずれか１項記載の撮像装置。
【請求項１７】
前記光学手段は、複数の駆動部を有し、
前記制御手段は、前記駆動部の種類に応じて、前記予測信号と前記駆動手段の駆動中に得られた音声信号の合成比率を変更するように前記音声処理手段を制御することを特徴とする請求項１２から１６のいずれか１項記載の撮像装置。
【請求項１８】
前記音声処理手段は、前記予測信号を、線形予測法を用いた第１の生成手法か、または、前記駆動手段の駆動前に得られた音声信号の周期を検出し、前記検出された周期の音声を複数回つなぎ合わせる第２の生成手法のいずれかを用いることを特徴とする請求項１２または１３記載の撮像装置。
【請求項１９】
音声処理方法であって、
所定の駆動手段を駆動する場合、集音手段により得られた音声信号のうち、前記駆動手段の駆動前に得られた音声信号に基づいて生成された予測信号と前記駆動手段の駆動中に得られた音声信号とを所定の比率で合成した音声データを生成することを特徴とする音声処理方法。